(57)【要約】コネクタの数を減らした無線通信システムのデジタルインタフェースが提供される。第１のコネクタは、無線周波数回路とベースバンド回路との間でデータ信号を搬送する。データ信号は、無線ネットワークで受信された、あるいは送信されるべきデジタルベースバンド信号を表す。データ信号はマルチレベルデータ信号であって、一度に１ビット以上のデジタルベースバンド信号のサンプルを搬送する。無線周波数回路は、データ信号の転送をベースバンド回路によって提供される同期クロックと同期する。ベースバンド回路は、無線周波数回路へのコマンドを表す制御信号によって通信システムの動作モードを制御する。制御信号は、様々な長さのコマンドを表し、これにより回路コマンドの素早い転送を可能にする。
2005520242.tif 000002
【特許請求の範囲】
【請求項１】
無線ネットワークで通信可能な無線通信システム内のデジタルインタフェースであって、前記システムは、前記インタフェースを介して相互接続されるベースバンドサブシステムと無線周波数サブシステムとを有し、前記インタフェースは、
前記無線周波数サブシステムから前記ベースバンドサブシステムへのデータ転送を同期するための、前記ベースバンドサブシステムから前記無線周波数サブシステムへの同期クロックを提供する、第１のコネクタと、
前記同期クロック信号に基づいて、前記無線ネットワークで前記無線周波数サブシステムに受信される無線周波数通信信号に対応する、ベースバンド通信信号を表すマルチレベルデータ信号を搬送する第２のコネクタと、
前記ベースバンドシステムから前記無線周波数サブシステムへ、前記無線通信システムの動作モードを制御するコマンドを表す制御信号を搬送する第３のコネクタと、
基準クロック信号を前記ベースバンドサブシステムへ供給する、第４のコネクタと、
を備えることを特徴とする、インタフェース。
【請求項２】
前記無線周波数サブシステムから前記ベースバンドサブシステムへ、受信した前記無線周波数通信信号の強度を表す信号を搬送する、第５のコネクタをさらに備えることを特徴とする、請求項１に記載のインタフェース。
【請求項３】
前記制御信号は、前記コマンドのタイミングクリティカリティに基づいた可変的な長さのコマンドを表すことを特徴とする、請求項１に記載のインタフェース。
【請求項４】
前記ベースバンド通信信号は、直交位相ベースバンド成分および同相ベースバンド成分を有することを特徴とする、請求項１に記載のインタフェース。
【請求項５】
前記第２のコネクタは、前記ベースバンドサブシステムから前記無線周波数サブシステムへ、前記マルチレベルデータ信号をさらに搬送し、前記マルチレベルデータ信号は前記無線ネットワークで送信されるベースバンド通信信号をさらに表すことを特徴とする、請求項１に記載のインタフェース。
【請求項６】
前記データ信号は、４レベルデータ信号であり、前記データ信号の値は前記デジタルベースバンド信号のサンプルの２ビットを表すことを特徴とする、請求項１に記載のインタフェース。
【請求項７】
前記データ信号は時分割多重されていることを特徴とする、請求項１に記載のインタフェース。
【請求項８】
前記データ信号は前記ベースバンド通信信号のサンプルを有し、各サンプルは前記同期クロックの２クロックサイクルで搬送されることを特徴とする、請求項５に記載のインタフェース。
【請求項９】
前記第３のコネクタは、前記無線周波数サブシステムに受信された前記コマンドに応答して、前記無線周波数サブシステムのデータレジスタの値をさらに搬送することを特徴とする、請求項１に記載のインタフェース。
【請求項１０】
前記ベースバンド通信信号は、同相成分と直交位相成分とを有し、前記第２のコネクタは、前記直交位相成分を搬送する第１の３ラインバスと、前記同相成分を搬送する第２の３ラインバスとを有することを特徴とする、請求項１に記載のインタフェース。
【請求項１１】
前記同期クロック信号は、前記ＲＦサブシステムが前記ベースバンド通信信号をサンプリングする時に用いられるサンプリングクロックの周波数の２倍の周波数で動作することを特徴とする、請求項１に記載のインタフェース。
【請求項１２】
無線ネットワークで受信した無線周波数通信信号をベースバンド通信システムに変換するために動作可能な、無線周波数サブシステムと、
ベースバンドサブシステムと、
インタフェースであって、
前記ＲＦサブシステムから前記ベースバンドサブシステムへのデータ転送を同期するための同期クロックを前記ベースバンドサブシステムから前記ＲＦサブシステムへ提供する、第１のコネクタと、
前記同期クロック信号に基づいて、前記ベースバンド通信信号を表すマルチレベルデータ信号を搬送する第２のコネクタと、
前記ベースバンドシステムから前記ＲＦサブシステムへ、前記無線システムの動作モードを制御するコマンドを表す制御信号を搬送する第３のコネクタと、
基準クロック信号を前記ベースバンドサブシステムへ供給する、第４のコネクタと、
前記ベースバンドサブシステムへ、受信した前記無線周波数通信信号の強度を表す信号を搬送する、第５のコネクタと、
を有するインタフェースと、
を備えることを特徴とする、無線通信システム内の無線通信システム。
【請求項１３】
無線ネットワークで通信する無線通信システム内の無線周波数サブシステムであって、
前記無線通信システムのベースバンドサブシステムからの同期クロックを受信して、前記無線周波数サブシステムから前記ベースバンドサブシステムへのデータ転送を同期する第１のピンと、
前記同期クロック信号に基づいて、前記無線ネットワークで前記無線周波数サブシステムに受信された無線周波数通信信号に対応するベースバンド通信信号を表すマルチレベルデータ信号を送信する第２のピンと、
前記ベースバンドシステムから、前記無線通信システムの動作モードを制御するコマンドを表す前記制御信号を受信する第３のピンと、
前記ベースバンドサブシステムに基準クロック信号を提供する第４のピンと、
前記ベースバンドサブシステムに、受信した前記無線周波数通信信号の強度を示す信号を送信する第５のピンと、
を備えることを特徴とする、無線周波数サブシステム。
【請求項１４】
無線ネットワークで通信する無線通信システム内のベースバンドサブシステムであって、
前記無線通信システムの無線周波数サブシステムへ同期クロックを送信して、前記無線周波数サブシステムから前記ベースバンドサブシステムへのデータの送信を同期する、第１のピンと、
前記無線ネットワークで前記無線周波数サブシステムに受信された無線周波数通信信号に対応するベースバンド通信信号を表し、前記同期クロック信号に基づいて前記無線周波数サブシステムに送信される、マルチレベルデータ信号を受信する第２のピンと、
前記無線周波数サブシステムへ、前記無線通信システムの動作モードを制御するコマンドを表す制御信号を送信する、第３のピンと、
前記無線周波数サブシステムからの基準クロック信号を受信する第４のピンと
前記無線周波数サブシステムから、受信した前記無線周波数通信信号の強度を示す信号を受信する、第５のピンと、
を備えるベースバンドサブシステム。
【発明の詳細な説明】
【技術分野】
【０００１】
本発明は、無線周波数サブシステムとベースバンドサブシステムとの間のデジタルインタフェースに関し、特に、無線周波数回路とベースバンド回路とが互いに離れて構築される、無線通信システムに関する。
【背景技術】
【０００２】
無線業界は、様々なインタフェース設計に関し提案を行っているが、これらの設計はしばしばベンダおよび／またはプラットフォームと一意的に関わっている。故に、異なる製造業者のＲＦサブシステムとＢＢサブシステムとが共に通信したり動作できないときには問題が生じる。いくつかの業者は自己の仕様の標準無線インタフェースを押しつけようとしてきたが、今までのところ、無線業界から認可および全面的な支援を受けている業者はない。
【０００３】
ＰＣＴ公報ＷＯ００/４２７４４にはベンダおよびプラットフォームに依存しないインタフェースが提案され開示されているが、ここに参照することにより本明細書中に組み込まれるものとする。ここに記載されたインタフェースは、トランシーバの動作モードを変更するための制御情報の提供を含む、ＲＦ回路制御のための複数のコネクタを備える。インタフェースは、制御信号のバスに割り当てられるピンを有する。スリープ制御信号のみには単独のピンが割り当てられ、他のピンはデータ信号のバスに割り当てられる。
【０００４】
公報ＷＯ００/４２７４４に開示されるインタフェースは、スリープ信号のみのための、特別なピンを有し、この特別なピンがインタフェースを複雑にし、コストを増加させる。さらに、提案されているインタフェースは帯域幅効率を高めようとしておらず、制御コマンドのレイテンシーに関する問題に対処していない。すべての制御コマンドは、それがローレイテンシー応答を要求していたり、クリティカルなタイミングでなかったりする時でも、同じやり方で送信される。本発明者達は、このインタフェースおよび、現存する他のインタフェースの性能は改良することができ、データ帯域幅の使用を向できることを認識した。
【発明の開示】
【発明が解決しようとする課題】
【０００５】
本発明の目的は、より効率的で簡略なインタフェースを提供することである。
【０００６】
本発明の他の目的は、ＲＦサブシステムとＢＢサブシステムとの間の標準インタフェースを提供し、無線通信システムの開発者およびベンダの作業を簡略化することである。
【０００７】
本発明のさらなる目的は、ＲＦサブシステムとＢＢサブシステムとの間でデータおよび制御情報を高速で転送するための、高いデータ帯域幅のデジタル・インタフェースを提供することである。
【０００８】
本発明のさらなる目的はピンの数を削減したＲＦおよびＢＢサブシステムを提供することにある。
【課題を解決するための手段】
【０００９】
このために、本発明のデジタルインタフェースは複数のコネクタを備える。第１のコネクタは、ＢＢサブシステムからＲＦサブシステムへ同期クロック信号を搬送するために用いられる。ＲＦサブシステムは、この同期クロックにＢＢサブシステムへのマルチレベルデータ信号の送信を同期する。マルチレベルデータ信号は第２のコネクタへ搬送される。そしてマルチレベルデータ信号は、無線ネットワークでＲＦサブシステムに受信される無線周波数信号に関連するベースバンド通信信号を表す。第３のコネクタは、ＲＦサブシステムの動作モードを制御するためのコマンドを表す制御信号を、ＢＢサブシステムからＲＦサブシステムへ搬送するために用いられる。インタフェースはさらに、基準クロック信号をＢＢサブシステムへ搬送する第４のコネクタと、信号強度表示信号をＢＢサブシステムに搬送する第５のコネクタを有する。信号強度表示信号は、ＲＦサブシステムに受信される無線周波数信号の強度を示す。
【００１０】
本発明のインタフェースは、２つのサブシステム間のコネクタの数を最小限にすることが可能である。コネクタは、単一の信号ラインであっても、複数ラインのバスであってもよい。５つのコネクタは、互いに物理的に独立であってよい。実施形態の例では、インタフェースは５つのピンのみで設計されている。データバス用のピン、制御バス用のピン、およびそれぞれ第３、第４、第５コネクタ用のピンである。このように本発明の効果は、ローピンカウントの通信インタフェースを提供することである。
【００１１】
第２のコネクタは、マルチレベルデータ信号の転送を可能にする。搬送されたデータ信号は、無線ネットワークで受信されたデジタルベースバンド信号のサンプルを表す。一実施形態では、データ信号は無線ネットワークでＲＦサブシステムによって送信されるべきデジタルベースバンド信号をも表す。サンプルのビットはデータ信号の電圧レベルに変換され、１以上のビットが単一のラインで搬送される１電圧レベルで表されてもよい。このように、所定のラインで一度に複数のビットの転送ができる。インタフェースのデータスループットはこれにより向上され、ピンカウントは減少される。インタフェースの帯域幅効率は、デジタルデータの表示に用いられる電圧レベルの数値を増すことによってさらに向上する。４つの２ビット値を搬送するために４つの電圧レベルが用いられ、８つの３ビット値を電他するために８つの電圧レベルが用いられる。２ビット値を搬送するのに４つの電圧が用いられると、一度に２ビットが転送される。
【００１２】
アナログインタフェースに関する本発明のインタフェースのさらなる利点は、本発明は通信システムの全体的な性能に影響を与えることなく、ＲＦサブシステムおよびＢＢサブシステムをそれぞれから離して置くことを可能にすることである。例えば、ラップトップ用に設計された無線通信システムのＲＦサブシステムおよびＢＢサブシステムは異なる場所に組み込むことができる。ＲＦサブシステムはラップトップディスプレイの最上部に組み込む、あるいは取り付けることができ、ＢＢＭＡＣサブシステムは、ラップトップの処理ハードウェア内に完全に組み込むことができる。
【００１３】
実施形態では、第２のコネクタは双方向性を持ち、データ信号はＲＦサブシステムの動作モードに応じて一方向あるいは他の方向に搬送される。上述のように、搬送されたデータ信号は無線ネットワークで受信された、または送信されるべきベースバンド信号を表すものである。送信モードでは、ＲＦサブシステムに搬送されたデータ信号は、無線ネットワークで送信されるベースバンド信号を表す。受信モードでは、無線ネットワークでＲＦサブシステムによって受信されるＲＦ信号は、デジタルベースバンド信号に変換される。次にデジタルベースバンド信号はＢＢサブシステムに搬送される前にサンプリングされる。ベースバンド信号は同時にあるいは別々にＢＢサブシステムに搬送される同相および直角位相の成分を有してもよい。ＲＦサブシステムからＢＢサブシステムへのデータ信号の送信は、第１のコネクタから送信される同期クロック信号に基づいて同期される。
【００１４】
本発明の実施形態では、データ信号は時分割多重方式を用いて送信され、ＢＢ信号のサンプルは１クロックサイクル以上で送信される。この実施形態では、通信ラインの数をさらに減らすことができ、その結果インタフェースのピンの数を減らすことができる。例えば、ベースバンドデータ信号のサンプルの直交位相成分および同相成分は、これらを生成する際のサンプリングレートの２倍のレートで搬送される。よって、ベースバンド信号の各サンプルの各成分を送信するには２クロックサイクルを要する。実施形態では、ベースバンド信号の各サンプルの同相成分および直交位相成分は並列に送信され、この場合では、ＲＦサブシステムからＢＢサブシステムへベースバンド信号の各サンプルを送信するのに２クロックサイクルを要している。
【００１５】
本発明の他の実施形態では、制御信号は可変長の制御コマンドを表す。コマンドの長さは、コマンドのタイミングのクリティカリティに基づいて決定される。よって、ＲＦサブシステムに素早く送信されるべきクリティカルコマンドは短い制御ワードとして送信される。一般コマンドのようにタイミングおよび遅延がクリティカルでないコマンドは、長い制御ワードとして送信される。
【００１６】
本発明のさらに他の実施形態では、制御信号はインタフェースの帯域幅効率をさらに向上させるためのマルチレベル信号であってもよい。
【００１７】
例をあげ、添付の図面を参照することによって本発明をより詳しく説明する。
【００１８】
図面の中で同様あるいは対応する特徴を持つ要素は、同様の参照符号で特定される。
【発明を実施するための最良の形態】
【００１９】
本発明は、無線通信システム内のベースバンドサブシステムと無線周波数サブシステムとの間で情報提供信号および制御信号を通信するためのデジタルインタフェースに関する。無線システムは種々ある無線ＬＡＮ通信スタンダードの一つ、例えばハイパーＬＡＮ２、ＩＥＥＥ８０２．１１ａ／ｂ／ｅ／ｇ、またはブルートゥースに基づいて構築されてもよい。本発明は、本発明の特徴を有し、さらに現存のあるいは未来の無線スタンダードの要求基準を満たす、すべてのインタフェースを含むものである。
【００２０】
図１は、本発明のデジタルインタフェース５００を介して互いに通信する無線周波数サブシステム１００およびベースバンドサブシステム２００を備える無線通信システム３００を示す。ＲＦサブシステム１００は、アンテナ１５０を介して無線ネットワーク４００上のＲＦ信号を送受信する。インタフェース５００は、複数のコネクタ５１０−５５０を有する。第１のコネクタ５１０は、無線ネットワーク４００でＲＦサブシステム１００に送受信されるデジタルベースバンド信号に相当するデータ信号ＢＢＤＡＴＡを搬送する。第２のコネクタ５２０は、ＢＢサブシステム２００とＲＦサブシステム１００との間で制御信号ＲＦＣＴＲＬを搬送する。制御信号ＲＦＣＴＲＬは、以下に説明するように、ＲＦサブシステム１００の動作モードを制御するため、および、ＲＦサブシステム１００のレジスタの読みとりおよび／または書き込みを行うために、ＢＢサブシステム２００によって用いられる。第３のコネクタ５３０は、ＲＦサブシステム１００からＢＢサブシステム２００へのコネクタ５１０を介したデータ信号ＢＢＤＡＴＡおよびＲＦＣＴＲＬの送信を同期するための基準クロックとして用いられる、クロック信号ＢＢＣＬＫを搬送する。第４のコネクタ５４０は、基準クロック信号ＲＥＦＣＬＫをＲＦサブシステム１００からＢＢサブシステム２００に搬送し、これにより無線システム３００に共通基準クロックを提供する。第５のコネクタ５５０は、無線ネットワーク４００でＲＦサブシステム１００が受信したＲＦ信号の強度をＢＢサブシステム２００に示す、受信信号強度表示信号ＲＳＳＩを搬送する。
【００２１】
コネクタ５２０で搬送される制御信号ＲＦＣＴＲＬは、ＢＢサブシステム２００からＲＦサブシステム１００へ送信される制御コマンドおよび／またはＲＦサブシステム１００からＢＢサブシステム２００への応答を表す。各制御コマンドは、図２に示すように、インタフェース５００の動作モードを示す初期３ビットＩＤワードと、（適用可能なとき）ＩＤワードに続くデータワードＤＡＴＡ０,...,ＤＡＴＡｎを有する。ＩＤワードはこれに続くデータの構造を規定する。ＩＤワード１１１は、ＢＢＤＡＴＡ信号の時分割多重送信をクロックＢＢＣＬＫと同期することを示す。ＩＤワード１１１に付加データが続くことはない。ＩＤワード０００は、無線システム３００が活動しないことを示す。ＩＤワード００１は、短い制御ワードを示し、１つのデータワードＤＡＴＡ１がこのＩＤワードに続く。
【００２２】
図３は、ＩＤワード０１０を伴う制御コマンドの構造を表す。ＩＤワード０１０は、長い制御ワードを示し、これにいくつかの他のデータワードが続く。本実施形態では、ＩＤワード０１０のすぐ後に続く２つのワード、ビットＡ０からＡ５は、ＲＦサブシステム１００のレジスタのアドレス情報を含む。次に、第３のワードは、アドレスビットＡ６と、アドレスレジスタが読み取りされるか、書き込みされるかを示すＲ/Ｗビットとを含む。第４のワードはゼロにセットされ、この空ワードはＲＦサブシステム１００にインタフェース５００上のデータの読みとりからインタフェース５００へのデータの書き込みに切り替えるための時間を与えるために用いられる。第５のワードおよびそれに続く他のワード、つまりビットＤ０-Ｄ２３はレジスタ値を含み、これらのワードはＲ／Ｗビットが書き込み動作モードを示すか、読みとり動作モードを示すかによって、ＢＢサブシステム２００またはＲＦサブシステムに書き込まれる。図３に示される制御コマンドは、ＩＤワードおよび１２データワードの合計１３ワードを含む。ＲＦサブシステムの１以上のレジスタからデータを読み取るとき、ＩＤワードおよび最初の４データワードは読み取り制御コマンドを表し、これら５つのワードはＢＢサブシステム２００からＲＦサブシステム１００の方向で搬送されるが、残りの８データワードは逆方向であるＲＦサブシステム１００からＢＢサブシステムへ搬送され、ＲＦサブシステム１００の１以上のレジスタから読み取られた値を含む。
【００２３】
他のＩＤワード１００は、自動利得制御（ＡＧＣ）ループ値をセットするために用いられ、ＲＦサブシステム１００の受信動作モードのセットをイネーブルにする。ＩＤワード１００の後に、プリセットされたＡＧＣ値が続く。本実施形態では、ＩＤワード１００の後には８ＡＣＧプリセット値が続く。ＩＤワード０１１は、ＲＦサブシステム１００内でのＡＧＣループのサイクルの始まりを規定する。ＩＤワード１０１は使わずにおき、後に使うために取っておいてもよい。
【００２４】
本実施形態では、制御信号ＲＦＣＴＲＬは、可変長のコマンドを表す。例えば、ＩＤワード１１１を伴う制御コマンドは１ワードのみを有し、しかるに、ＩＤワード０１０を伴う制御信号ＲＦＣＴＲＬは、図３の例にある１３の異なるワードを有する。可変長制御コマンドの使用により、タイミングがクリティカルである制御コマンドをより早く搬送できるようになる。このようなインプリメンテーションにより、インタフェース５００のデータスループットを増すことができる。ＩＤワードのみを伴い、データを持たない制御コマンドがＲＦサブシステム１００の素早い制御のために用いられる。ＩＤワードと１つのデータワードを伴う制御コマンドが、限られたパラメータのセットでＲＦサブシステムを素早く制御するために用いられ、長い制御コマンドがＲＦサブシステム１００の一般的な制御に用いられる。本実施形態では、ＢＢサブシステム２００はマスター−スレイブ構造の中のマスターとして動作し、ＲＦサブシステム１００はスレイブとして動作する。
【００２５】
上述の通り、ＲＦサブシステム１００からＢＢサブシステム２００へのデータ信号ＢＢＤＡＴＡの送信は、同期クロック信号ＢＢＣＬＫに基づいて同期され、同様に、制御信号ＲＦＣＴＲＬの送信は、同期クロック信号ＢＢＣＬＫを用いて同期される。制御信号ＲＦＣＴＲＬおよびデータ信号ＢＢＤＡＴＡは、後述のようにクロック信号ＢＢＣＬＫの立ち上がりエッジまたは立ち下がりエッジでプレセット遅延と同期される。
【００２６】
実施形態では、信号ＢＢＣＴＲＬおよびＢＢＤＡＴＡは、同じコネクタで搬送され、よって第２のコネクタ５２０および第３のコネクタ５３０は物理的に１つのコネクタとして実装される。
【００２７】
図１の実施形態では、第１のコネクタ５１０は双方向性を持ち、信号ＢＢＤＡＴＡの搬送方向は、ＲＦサブシステム１００の動作モードに依存する。すなわち、ＲＦ信号の受信またはＢＢサブシステム２００から受信したＢＢ信号のネットワーク４００での送信を行う。受信モードでは、アンテナ１５０から受信されたＲＦ信号はＢＢ信号に変換され、ＢＢサブシステム２００に搬送される前にＲＦサブシステム１００にサンプリングされる。送信モードでは、ＢＢ信号はＢＢサブシステム２００によってコネクタ５１０経由でＲＦサブシステム１００に搬送され、さらにＲＦ信号に変換されてから無線ネットワーク４００で送信される。
【００２８】
コネクタ５１０は複数ラインコネクタ、例えばバスであり、信号ＢＢＤＡＴＡは複数ラインコネクタ５１０で搬送されるマルチレベルデータ信号である。コネクタ５１０の各ラインはデータ信号ＢＢＤＡＴＡのそれぞれの成分を搬送し、データ信号ＢＢＤＡＴＡの各成分は４つの値、Ｖ００、Ｖ０１、Ｖ１０、およびＶ１１をとる。各値はそれぞれ図４に示される２ビット値、００、０１、１０、および１１を表す。信号ＢＢＤＡＴＡはベースバンドシステム２００に、無線ネットワーク４００でＲＦサブシステム１００に受信されたＲＦ信号に関連するデジタルベースバンド信号のサンプルを搬送し、これと交互に、信号ＢＢＤＡＴＡは無線ネットワーク４００で送信するデジタルベースバンド信号のサンプルをＲＦサブシステム１００に搬送する。よって、第１のコネクタ１５０の各ラインは、ベースバンド信号の各サンプルの２ビットを送信する。このようなマルチレベル信号ＢＢＤＡＴＡはインタフェース５００のピンカウントを削減し、そのデータ帯域幅効率を向上することができる。
【００２９】
他の実施形態では、ベースバンド信号の２値データを表すために用いられる電圧レベルの数を増すことによって、インタフェース５００の性能はさらに向上する。例えば、コネクタ５１０の各ラインにつき、各電圧値が８つの考え得る３ビット値を表す８値レベルの信号を搬送することにより、ラインあたり３ビットの搬送が達成される。
【００３０】
この実施形態では、ベースバンド信号は時分割多重化され、よってＢＢ信号の各サンプルは１クロックサイクル以で送信される。本実施形態では、ＢＢ信号の各サンプルは同相成分Ｉと、直交位相成分Ｑとを有する。各２値成分ＩおよびＱは、１２ビット長で、２つのクロックサイクルで、上述のように各ラインが一度に２ビットを搬送する、３マルチレベルラインの各バスで搬送される。ＲＦサブシステム１００からＢＢサブシステム２００へのＢＢ信号の送信は、ＢＢサブシステム２００によって提供される同期クロックＢＢＣＬＫに基づいて同期される。ＢＢサンプルの各Ｉ成分およびＱ成分は２クロックサイクルで送信されるが、これは、ＲＦサブシステム１００内でのＢＢ信号のサンプリングのレートの２倍のレートでＢＢ信号が搬送されるということに等しい。この実施形態では、ＢＢ信号は４０Ｈｚの周波数でサンプリングされ、ＢＢサンプルは８０Ｈｚ、すなわち同期クロックＢＢＣＬＫの周波数で送信される。
【００３１】
図５および図６は、周期ＴＢＢＣＬＫの同期クロックＢＢＣＬＫと共にＲＦサブシステム１００からＢＢサブシステム２００へ送信されるＢＢＤＡＴＡ信号の同期プロセスを示すタイミング図である。図５は、クロック信号ＢＢＣＬＫの立ち下がりエッジでの同期を示し、図６は、クロック信号ＢＢＣＬＫの立ち上がりエッジでの同期を示す。図５および図６は、インタフェース５００でデータを読み書きするためにＲＦサブシステム１００およびＢＢサブシステム２００にセットされた様々な遅延を示す。遅延ＴＲＸＤＬＹは、データ信号ＢＢＤＡＴＡとクロック信号ＢＢＣＬＫとの同期を示すＩＤワード１１１の送信と、ベースバンドサブシステム２００による受信したデータ信号ＢＢＤＡＴＡのサンプリングとの間の遅延を表すために定められる。上述のように、各成分ＩおよびＱは、２クロックサイクルで送信され、よってそれぞれＲｘＩ１およびＲｘＩ２と、ＲｘＱｌおよびＲｘＱ２に分割される。よって、ＩＤワード１１１が送信された後、データ信号ＢＢＤＡＴＡによって搬送されたベースバンド信号の各サンプルの同相成分ＲｘＩ１およびＲｘＩ２と直交位相成分ＲｘＱ１およびＲｘＱ２が読み取られ検知される前までの期間ＴＲＸＤＬＹの間、ＢＢサブシステムは待つ。図５および６には他の遅延ＴＲＸＤＴＡＳＥＴＵＰおよびＴＲＸＤＡＴＡＨＯＬＤが示されている。ＴＲＸＤＡＴＡＨＯＬＤは、ＢＢサブシステムが誤差無しに同相および直交位相成分を検知できるように、同相および直交位相成分のビットを表すコネクタ５１０のラインの電圧が不変である必要がある期間を示す。ＴＲＸＤＡＴＡＳＥＴＵＰは他の期間を示し、この期間の後、ＢＢサブシステム２００は受信したデータ信号ＢＢＤＡＴＡのサンプリングを行うことができる.この期間ＴＲＸＤＡＴＡＳＥＴＵＰは、コネクタ５２０のラインで電圧が安定するのに十分な程度に長く、よってＩおよびＱ成分のビットの誤差が無い検知が可能になる。期間ＴＲＸＤＴＡＳＥＴＵＰおよび期間ＴＲＸＤＡＴＡＨＯＬＤはどちらも、各成文ＲｘＩ１およびＲｘＩ２とＲｘＱｌおよびＲｘＱ２の読みとりを、電圧値がラインで安定している場合に、各成分の途中、クロック信号ＢＢＣＬＫの立ち上がりエッジまたは立ち下がりエッジで行うことを可能にする。
【図面の簡単な説明】
【００３２】
【図１】本発明のインタフェースを有する無線通信システムを示す図。
【図２】制御信号ＲＦＣＴＲＬの送信を図示したタイミング図。
【図３】制御信号ＲＦＣＴＲＬによって表される制御コマンドの構造を示す図。
【図４】データコネクタで送信されるマルチレベルデータ信号の４つの電圧値を示す図。
【図５】同期クロックＢＢＣＬＫの立ち下がりエッジでデータ信号ＢＢＤＡＴＡの送信を同期することを示すタイミング図。
【図６】同期クロックＢＢＣＬＫの立ち上がりエッジでデータ信号ＢＢＤＡＴＡの送信を同期することを示すタイミング図。
【符号の説明】
【００３３】
１００  無線周波数サブシステム
１５０  アンテナ
２００  ベースバンドサブシステム
３００  無線通信システム
４００  無線ネットワーク
５００  デジタルインタフェース
５１０  第１のコネクタ
５２０  第２のコネクタ
５３０  第３のコネクタ
５４０  第４のコネクタ
５５０  第５のコネクタ
【図１】
2005520242.tif 000003
【図２】
2005520242.tif 000004
【図３】
2005520242.tif 000005
【図４】
2005520242.tif 000006
【図５】
2005520242.tif 000007
【図６】
2005520242.tif 000008
【国際調査報告】
2005520242.tif 000009
2005520242.tif 000010